(57)【要約】【課題】乗りかごを水洗い清掃した場合に発生した汚水の排水処理を、速やかに及び確実に行なう。【解決手段】乗りかごは、一端が乗りかごの床面に開口されて他端が下向きに開口された排水管と、排水管内に設けられてこの排水管を開閉する電磁弁とを有する。乗りかご内の水洗い清掃を開始する清掃開始操作部を操作すると、乗りかごは、移動手段によって排水管が接続される排水装置を備えた特定階に移動され、かごドア開放手段によってかごドアが開放され、開弁手段により電磁弁が開弁される。これにより、乗りかご内の水洗い清掃により発生した汚水は排水管を通って排水装置へ排水され、汚水の排水処理を、速やかに及び確実に行なえる。【選択図】    図３
2010173835.tif 000002
【特許請求の範囲】
【請求項１】
一端がエレベータの乗りかごの床面に開口されて他端が下向きに開口された排水管と、
前記排水管内に設けられてこの排水管を開閉する電磁弁と、
前記乗りかご内の水洗い清掃を開始する場合に操作する清掃開始操作部が操作された場合に、前記乗りかごを前記排水管が接続される排水装置を備えた特定階に移動させる移動手段と、
前記清掃開始操作部の操作に基づいて前記乗りかごが特定階に移動した場合に、前記乗りかごのかごドアを開放させるかごドア開放手段と、
前記清掃開始操作部の操作に基づいて前記乗りかごが特定階に移動した場合に、前記電磁弁を開弁させる開弁手段と、
を備えることを特徴とするエレベータの乗りかご内清掃装置。
【請求項２】
前記乗りかご内の水洗い清掃を終了する場合に操作する清掃終了操作部が操作された場合に、この清掃終了操作部が操作された後も前記かごドアの開放状態を設定時間延長するかごドア開放延長手段と、
延長された前記設定時間が経過した場合に前記乗りかごを平常運転状態に復帰させる復帰手段と、
を備えることを特徴とする請求項１記載のエレベータの乗りかご内清掃装置。
【請求項３】
前記清掃開始操作部の操作に基づいて前記乗りかごが前記特定階に移動した後に設定時間が経過した場合、前記乗りかごを平常運転状態に復帰させる第２復帰手段を備えることを特徴とする請求項１記載のエレベータの乗りかご内清掃装置。
【請求項４】
前記乗りかご内の水洗い清掃を行なう日時を設定する日時設定手段と、
前記日時設定手段により設定した日時に到達した場合に、前記乗りかごを前記移動手段により前記特定階に移動させ、前記かごドアを前記かごドア開放手段により開放し、前記電磁弁を前記開弁手段により開弁させる自動清掃開始手段と、
前記日時設定手段により設定した日時の到達に基づいて前記乗りかごを前記特定階に移動した後に設定時間が経過した場合、前記乗りかごを平常運転状態に復帰させる第３復帰手段と、
を備えることを特徴とする請求項１ないし３のいずれか一項に記載のエレベータの乗りかご内清掃装置。
【請求項５】
前記かごドアが開放されている場合に、前記乗りかご内が水洗い清掃中であることを各階床で報知する報知手段を備えることを特徴とする請求項１ないし４のいずれか一項に記載のエレベータの乗りかご内清掃装置。
【請求項６】
エレベータ乗場の乗場呼び釦又は前記乗りかご内のかご呼び釦が押された場合、前記乗場呼び釦又は前記かご呼び釦を押したエレベータ利用者に対して前記乗りかご内が水洗い清掃中であることを音声で報知する音声報知手段を備えることを特徴とする請求項１ないし５のいずれか一項に記載のエレベータの乗りかご内清掃装置。
【発明の詳細な説明】
【技術分野】
【０００１】
本発明は、エレベータの乗りかご内清掃装置に関し、特に、乗りかご内を水洗い清掃する場合に適したエレベータの乗りかご内清掃装置に関する。
【背景技術】
【０００２】
エレベータは、乗りかごをエレベータ昇降路内で昇降させ、乗りかご内に乗ったエレベータ利用者を希望する階床に搬送する。このようなエレベータを快適に利用するためには、必要に応じて乗りかご内を清掃する必要があり、特に、乗りかごの床面については水洗い清掃する必要がある。
【０００３】
乗りかご内を水洗い清掃した場合には、水洗い清掃により発生した汚水の処理が問題となり、水洗い清掃により発生した汚水の処理を考慮したエレベータの乗りかご内清掃装置としては、下記特許文献１に記載されたものが知られている。
【０００４】
特許文献１に記載されたエレベータの乗りかご内清掃装置は、乗りかごのかご床の下部にタンクを取付け、水洗い清掃時に発生した汚水をかご床に形成した排水通路を通してタンク内に一時的に貯留し、乗りかごが最下階に移動した場合にタンク内に貯留した汚水をエレベータ昇降路内に設けた排水装置を介して排水している。
【先行技術文献】
【特許文献】
【０００５】
【特許文献１】特開２００５−４１６１９号公報
【発明の概要】
【発明が解決しようとする課題】
【０００６】
しかしながら、特許文献１に記載された乗りかご内清掃装置においては、以下の点について考慮されていない。
【０００７】
タンク内に汚水が貯留されている場合、汚水から異臭が発生するとその異臭が乗りかご内に充満し、乗りかご内のエレベータ利用者に対して不快感を与える。
【０００８】
また、汚水がタンク内に長時間貯留される事態が発生した場合、タンク内の汚水中で雑菌が繁殖するという事態が発生する。
【０００９】
また、タンクから汚水漏れが発生した場合、漏れ出した汚水がエレベータ昇降路内の各種の機器に付着し、錆びを発生させたり故障の原因となる。
【００１０】
また、水洗い清掃の作業中にタンク内が汚水で満杯になると、清掃作業を一時中断して乗りかごを最下階に移動させ、タンク内の汚水を排水しなければならず、清掃作業の作業効率が悪くなる。
【００１１】
本発明はこのような課題を解決するためになされたもので、その目的は、乗りかご内を水洗い清掃した場合に発生した汚水の排水処理を速やかに及び確実に行なうことができるエレベータの乗りかご内清掃装置を提供することである。
【課題を解決するための手段】
【００１２】
本発明の実施の形態に係る第１の特徴は、エレベータの乗りかご内清掃装置において、  一端がエレベータの乗りかごの床面に開口されて他端が下向きに開口された排水管と、前記排水管内に設けられてこの排水管を開閉する電磁弁と、前記乗りかご内の水洗い清掃を開始する場合に操作する清掃開始操作部が操作された場合に、前記乗りかごを前記排水管が接続される排水装置を備えた特定階に移動させる移動手段と、前記清掃開始操作部の操作に基づいて前記乗りかごが特定階に移動した場合に、前記乗りかごのかごドアを開放させるかごドア開放手段と、前記清掃開始操作部の操作に基づいて前記乗りかごが特定階に移動した場合に、前記電磁弁を開弁させる開弁手段と、を備えることである。
【発明の効果】
【００１３】
本発明によれば、乗りかご内を水洗い清掃した場合に発生した汚水の排水処理を速やかに及び確実に行なうことができる。
【図面の簡単な説明】
【００１４】
【図１】本発明の第１の実施の形態のエレベータを示す模式図である。
【図２】エレベータの動作を制御する制御機構を示すブロック図である。
【図３】乗りかご内を水洗い清掃する場合の制御内容を示すフローチャートである。
【図４】本発明の第２の実施の形態における、乗りかごを水洗い清掃する場合の制御内容を示すフローチャートである。
【図５】本発明の第３の実施の形態における、乗りかごを水洗い清掃する場合の制御内容を示すフローチャートである。
【図６】本発明の第４の実施の形態における、乗りかごを水洗い清掃する場合の制御内容を示すフローチャートである。
【発明を実施するための形態】
【００１５】
以下、本発明の実施の形態を図面を用いて説明する。
【００１６】
（第１の実施の形態）
本発明の第１の実施の形態を、図１ないし図３に基づいて説明する。エレベータが設置された建物内には、図１に示すようにエレベータ昇降路１が設けられており、エレベータ昇降路１内には、乗りかご２と釣合い重り（図示せず）とが昇降可能に設置されている。
【００１７】
乗りかご２内には、乗りかご２内のエレベータ利用者が行先階を指示するかご呼び釦３、各種の報知を行なうかご内表示装置４、乗りかご２内の水洗い清掃を開始する場合に操作する清掃開始操作部である清掃用キースイッチ５が設けられている。なお、清掃用キースイッチ５は、乗りかご２内の水洗い清掃を終了する場合に操作する清掃終了操作部としての機能も備えている。また、この実施の形態では、清掃用キースイッチ５を乗りかご２内に設けた場合を示しているが、清掃用キースイッチ５は他の場所に設けてもよく、例えば、エレベータ乗場や、管理室などに設置されているエレベータ監視盤に設けてもよい。
【００１８】
乗りかご２のかご床の下部には、一端が乗りかご２の床面に開口し、他端が下向きに開口した排水管６が取付けられている。排水管６内には、この排水管６を開閉する電磁弁７が設けられている。
【００１９】
エレベータ昇降路１内の下部には、乗りかご２内を水洗い清掃した場合に発生する汚水を排水するための排水装置８が設けられている。排水装置８は、汚水受け部８ａと排水ホース８ｂとから構成され、乗りかご２が特定階である最下階に移動した場合に、排水管６の下端部が汚水受け部８ａに入り込むように位置決めされている。排水ホース８ｂの先端部は、汚水を処理する機能を有する汚水処理槽や、地下に埋設された汚水排水管などに接続されている。
【００２０】
図２は、エレベータの動作を制御する制御機構を示すブロック図である。エレベータには、エレベータの動作を制御する制御部９が設けられており、この制御部９には、かご呼び釦３と、かご内表示装置４と、清掃用キースイッチ５と、電磁弁７と、乗りかご２を昇降させる巻上機１０と、乗りかご２のかごドア１１を開閉させるかごドアモータ１２と、各階床のエレベータ乗場に設けられた乗場呼び釦１３と、各階床のエレベータ乗場に設けられた乗場表示装置１４とが接続されている。かご呼び釦３や乗場呼び釦１３や清掃用キースイッチ５が操作されると、その操作に基づく信号が制御部９に入力され、制御部９では入力された信号に基づいて各種の演算が行われ、その演算結果に応じて巻上機１０やかごドアモータ１２や電磁弁７やかご内表示装置４が駆動される。
【００２１】
図３は、乗りかご２内、特にその床面を水洗い清掃する場合の制御内容を示すフローチャートである。
【００２２】
制御部９では、水洗い清掃を開始する場合の操作である清掃用キースイッチ５のオン操作が行われたか否かを常時判断している（Ｓ１）。なお、清掃用キースイッチ５がオン操作されない場合は、乗りかご２は通常運転状態に維持され、かご呼び釦３が押されたかご呼び登録や乗場呼び釦１３が押された乗場呼び登録に応じて巻上機１０が駆動され、乗りかご２が呼び登録された階床に向けて昇降する。
【００２３】
清掃用キースイッチ５がオン操作された場合には（Ｓ１のＹＥＳ）、新規の乗場呼び登録を禁止する（Ｓ２）。ここに、清掃用キースイッチ５がオン操作された場合に新規の乗場呼び登録を禁止する乗場呼び登録禁止手段が実行される。新規の乗場呼び登録を禁止した後、乗りかご２がサービス中であるか否かを判断する（Ｓ３）。なお、乗りかご２がサービス中であるとは、かご呼び登録や乗場呼び登録が行なわれている状態を意味する。
【００２４】
乗りかご２がサービス中である場合には（Ｓ３のＹＥＳ）、登録されたサービスを順次実行し（Ｓ４）、登録された全てのサービスが終了したか否かを判断する（Ｓ５）。
【００２５】
全てのサービスが終了した場合（Ｓ５のＹＥＳ）、及び、ステップＳ３でサービス中ではないと判断した場合には、乗りかご２を特定階である最下階に向けて移動させる（Ｓ６）。ここに、清掃用キースイッチ５がオン操作された場合に、乗りかご２を排水装置８を備えた特定階である最下階に移動させる移動手段が実行される。乗りかご２が最下階に移動すると、排水管６の下端部は、排水装置８の汚水受け部８ａに入り込む。
【００２６】
乗りかご２が最下階に移動すると、かごドアモータ１２を駆動してかごドア１１を解放する（Ｓ７）。ここに、清掃用キースイッチ５のオン操作に基づいて乗りかご２が最下階に移動した場合に、かごドア１１を解放させるかごドア開放手段が実行される。なお、かごドア１１は、清掃用キースイッチ５がオフ操作されるまで開放状態に維持される。
【００２７】
さらに、乗りかご２が最下階に移動すると、電磁弁７を開弁する（Ｓ８）。ここに、清掃用キースイッチ５のオン操作に基づいて乗りかご２が最下階に移動した場合に、電磁弁７を開弁させる開弁手段が実行される。なお、ステップＳ７のかごドア１１の開放と、ステップＳ８の電磁弁７の開弁とは、逆の順番で行なってもよく、又は、同時に行なってもよい。
【００２８】
その後、乗りかご２内の水洗い清掃を終了する場合の操作である清掃用キースイッチ５のオフ操作が行われたか否かを判断し（Ｓ９）、清掃用キースイッチ５がオフ操作された場合には（Ｓ９のＹＥＳ）、乗りかご２を平常運転状態に復帰させる（Ｓ１０）。乗りかご２が平常運転状態に復帰した場合には、電磁弁７が閉弁され、かごドア１１が閉止される。
【００２９】
このような構成において、清掃用キースイッチ５がオン操作された場合には、乗りかご２は特定階である最下階に移動することにより排水管６の下端部が排水装置８の汚水受け部８ａ内に入り込み、さらに、かごドア１１が解放され、電磁弁７が開弁される。
【００３０】
そして、最下階で停止してかごドア１１が解放された乗りかご２内に清掃作業員が入り込み、乗りかご２内を水洗い清掃する。乗りかご２内を水洗い洗浄した場合に発生した汚水は、排水管６を通って排水装置８に至り、排水される。
【００３１】
このため、乗りかご２内を水洗い清掃した場合に発生した汚水の排水処理を、速やかに及び確実に行なうことができ、乗りかご２に汚水が残留することがなく、乗りかご２内に汚水の臭いが残留することを防止することができる。
【００３２】
また、乗りかご２を水洗い清掃した場合に発生した汚水が、エレベータ昇降路１内に飛散することを防止することができる。このため、汚水がエレベータ昇降路１の各種の機器に付着するということが起こらず、汚水が原因となる機器の錆びや故障の発生を防止することができる。
【００３３】
なお、本実施の形態では、清掃用キースイッチ５をオン操作した後の乗場呼び登録を禁止し、清掃用キースイッチ５をオン操作する前の乗場呼び登録を有効とする場合を例に挙げて説明したが、清掃用キースイッチ５がオン操作された場合に、清掃用キースイッチ５がオン操作される前の乗場呼び登録をキャンセルするようにしてもよい。これにより、乗りかご２を、水洗い清掃を行なう最下階に速やかに移動させることができる。
【００３４】
また、清掃用キースイッチ５がオン操作される前の乗場呼び登録をキャンセルした場合には、清掃用キースイッチ５がオン操作された後は乗りかご２内のかご呼び釦３の呼び登録を行なえないようにする。これにより、乗りかご２内に乗車しているエレベータ利用者を降ろすために停止した階床から他のエレベータ利用者が乗りかご２内に乗車しても、そのエレベータ利用者はかご呼び釦３を呼び登録することができなくなり、乗りかご２を、水洗い清掃を行なう最下階に速やかに移動させることができる。
【００３５】
（第２の実施の形態）
本発明の第２の実施の形態を図４に基づいて説明する。なお、第２の実施の形態及びこれ以降の実施の形態において、先行して説明した実施の形態と同一の構成要素には同じ符号を付け、重複する説明は省略する。
【００３６】
本実施の形態の基本的構成は第１の実施の形態と同じであり、第１の実施の形態と異なる点は、乗りかご２内の水洗い清掃を終了する場合の操作である清掃用キースイッチ５のオフ操作が行われた場合に、このオフ操作が行なわれた後もかごドア１１の開放状態を設定時間延長し、延長された設定時間が経過した後に乗りかご２を平常運転状態に復帰させるようにした点である。
【００３７】
図４に示すように、清掃用キースイッチ５がオフ操作された場合には（Ｓ９のＹＥＳ）、清掃用キースイッチ５がオフ操作されてから設定時間（例えば、１０分間）を経過したか否かを判断する（Ｓ１１）。この設定時間が経過するまでは、かごドア１１は開放状態を延長される。ここに、清掃用キースイッチ５がオフ操作された場合に、このオフ操作後もかごドア１１の開放状態を設定時間延長するかごドア開放延長手段が実行される。
【００３８】
かごドア１１の開放を延長する設定時間が経過した後は（Ｓ１１のＹＥＳ）、乗りかご２を平常運転状態に復帰させる（Ｓ１０）。ここに、延長された設定時間が経過した場合に、乗りかご２を平常運転状態に復帰させる復帰手段が実行される。
【００３９】
このような構成において、この第２の実施の形態によれば、乗りかご２内を水洗い清掃を終了した後に清掃用キースイッチ５がオフ操作されても、直ちにかごドア１１が閉止されずに設定時間かごドア１１の開放状態が延長される。これにより、乗りかご２内の床面や排水管６内を乾燥させることができ、乗りかご２が通常運転状態に復帰した後に、排水管６から水滴が落下するということを防止することができ、排水管６から落下した水滴がエレベータ昇降路１内の機器に付着するということを防止することができる。
【００４０】
（第３の実施の形態）
本発明の第３の実施の形態を図５に基づいて説明する。
【００４１】
第３の実施の形態の基本的構成は第１の実施の形態と同じであり、第１の実施の形態と異なる点は、清掃用キースイッチ５のオン操作に基づいて乗りかご２が特定階である最下階に移動した場合、設定時間が経過した後に乗りかご２を自動的に平常運転状態に復帰させるようにした点である。
【００４２】
図５に示すように、乗りかご２を最下階に移動させ（Ｓ６）、かごドア１１を解放し（Ｓ７）、電磁弁７を開弁させた（Ｓ８）後、乗りかご２が最下階に移動してから設定時間（例えば、２０分間）が経過したか否かを判断する（Ｓ２１）。そして、設定時間を経過するまではかごドア１１を開放状態に維持し、及び、電磁弁７を開弁状態に維持する。
【００４３】
乗りかご２が最下階に移動してから設定時間が経過すると（Ｓ２１のＹＥＳ）、乗りかご２を平常運転状態に復帰させる（Ｓ１０）。ここに、乗りかご２が最下階に移動してから設定時間が経過した後に、乗りかご２を平常運転状態に自動的に復帰させる第２復帰手段が実行される。
【００４４】
このような構成において、乗りかご２内を水洗い清掃する場合には、清掃用キースイッチ５のオン操作に基づいて乗りかご２が最下階に移動してから、予め設定された設定時間が経過すると、乗りかご２は自動的に平常運転状態に復帰する。
【００４５】
したがって、この設定時間を、乗りかご２内を水洗い清掃するために必要な時間に設定しておくことにより、乗りかご２の平常運転状態への復帰を迅速に行なうことができる。
【００４６】
また、水洗い清掃作業を終了した後に清掃用キースイッチ５をオフ操作する必要がなく、清掃用キースイッチ５のオフ操作を忘れたために乗りかご２が平常運転状態に復帰しない状態に放置されるという事態の発生を防止することができる。
【００４７】
（第４の実施の形態）
本発明の第４の実施の形態を図６に基づいて説明する。
【００４８】
第４の実施の形態の基本的構成は第１の実施の形態と同じであり、異なる点は、乗りかご２内の水洗い清掃を、予め設定した日時（曜日、時間）に自動的に行なうようにした点である。
【００４９】
なお、エレベータの制御部９には、キーボードなどの入力部からの入力に基づいて乗りかご２内の水洗い清掃を行なう日時を設定する日時設定手段が設けられ、設定された日時は記憶部に記憶される。
【００５０】
図６に示すように、制御部９では、設定した日時が到来したか否かを常時判断しており（Ｓ３１）、到来した場合には（Ｓ３１のＹＥＳ）、ステップＳ２〜Ｓ８の処理が実行される。ここに、設定した日時が到来した場合に、乗りかご２内の水洗い清掃を自動的に開始させる自動清掃開始手段が実行される。
【００５１】
この自動清掃開始手段が実行された場合には、その日時に合わせて最下階で待機していた清掃作業員が乗りかご２内に入り込み、乗りかご２内を水洗い清掃する。
【００５２】
その後、乗りかご２が最下階に移動してから設定時間（例えば、２０分間）が経過したか否かを判断する（Ｓ２１）。そして、設定時間を経過するまではかごドア１１を開放状態に維持し、及び、電磁弁７を開弁状態に維持する。
【００５３】
乗りかご２が最下階に移動してから設定時間が経過すると（Ｓ２１のＹＥＳ）、乗りかご２を平常運転状態に復帰させる（Ｓ１０）。ここに、乗りかご２の自動清掃が開始された場合において、乗りかご２が最下階に移動してから設定時間が経過した後に乗りかご２を平常運転状態に自動的に復帰させる第３復帰手段が実行される。
【００５４】
このような構成において、この第４の実施の形態によれば、エレベータ利用者の利用が少ない日時に合わせて乗りかご２内の水洗い清掃を行なうことができ、エレベータ利用者の利便性を高めることができる。
【００５５】
（第５の実施の形態）
本発明の第５の実施の形態の基本的構成は上述した第１ないし第４の実施の形態と同じであり、異なる点は、乗りかご２内が水洗い清掃中であることを各階床で報知する報知手段を設けた点である。
【００５６】
この報知手段は、各階床に設けた乗場表示装置１４や、かご内表示装置４において、現在乗りかご２が水洗い清掃中であることを文字や絵柄により視覚的に表示させる。
【００５７】
このような構成において、乗りかご２内が水洗い清掃中であることを報知手段によって報知することにより、エレベータ利用者は、他階への移動を他のエレベータを利用したり階段を利用したりする対応を速やかにとることができ、エレベータ利用者の利便性を向上させることができる。
【００５８】
（第６の実施の形態）
本発明の第６の実施の形態の基本的構成は上述した第１ないし第５の実施の形態と同じであり、異なる点は、乗場呼び釦１３又はかご呼び釦３が押された場合、乗場呼び釦１３又はかご呼び釦３を押したエレベータ利用者に対して、現在乗りかご２内が水洗い洗浄中であることを音声で報知する音声報知手段を設けた点である。
【００５９】
この音声報知手段は、乗場呼び釦１３が押された場合には、乗場呼び釦１３が押された階床のエレベータ乗場に設けられているスピーカ（図示せず）から乗りかご２が水洗い清掃中であることを放送し、又は、かご呼び釦３が押された場合には、乗りかご２内に設けられているスピーカ（図示せず）から乗りかご２が水洗い清掃中であることを放送する。
【００６０】
このような構成において、乗場呼び釦１３やかご呼び釦３を押したエレベータ利用者に対して、乗りかご２が水洗い洗浄中であることを音声で報知することができ、エレベータ利用者に対し、他階への移動を他のエレベータを利用したり階段を利用したりする対応を速やかにとらせることができ、エレベータ利用者の利便性を向上させることができる。
【符号の説明】
【００６１】
２      乗りかご
５      清掃用キースイッチ（清掃開始操作部、清掃終了操作部）
６      排水管
７      電磁弁
８      排水装置
１１      かごドア
【図１】
2010173835.tif 000003
【図２】
2010173835.tif 000004
【図３】
2010173835.tif 000005
【図４】
2010173835.tif 000006
【図５】
2010173835.tif 000007
【図６】
2010173835.tif 000008